(57)【要約】【課題】  シャープペンシル（軸筒）の後端部にノック操作部を配置し、そのノック操作部をノックすることによってチャック体を前進せしめ、拡開し、その拡開したチャック体に後続する２本目の芯を落とし込む機構が開発された。しかし、筆記状態を一端中止し、シャープペンシルを持ち替えて後続する２本目の芯の繰り出し操作を行わなければならず、折角の前記効果を著しく損ねてしまっていた。【解決手段】  軸筒の内部に芯の前進は許容するが、芯の後退は楔作用によって阻止するボールチャク機構を配置すると共に、そのボールチャック機構の前方に芯を軽く保持するスライド部材を前後動可能に配置したシャープペンシルであって、前記軸筒の前方にスライド部材を作動せしめるノック部材を配置する一方、前記ボールチャック機構の後方にはそのボールチャック機構を作動せしめる傾斜板を配置し、その傾斜板を前記ノック部材によって揺動せしめたシャープペンシル。【選択図】  図１
2006095948.tif 000002
【特許請求の範囲】
【請求項１】
軸筒の内部に芯の前進は許容するが、芯の後退は楔作用によって阻止するボールチャク機構を配置すると共に、そのボールチャック機構の前方に芯を軽く保持するスライド部材を前後動可能に配置したシャープペンシルであって、前記軸筒の前方にスライド部材を作動せしめるノック部材を配置する一方、前記ボールチャック機構の後方にはそのボールチャック機構を作動せしめる傾斜板を配置し、その傾斜板を前記ノック部材によって揺動せしめたことを特徴とするシャープペンシル。
【請求項２】
前記軸筒の前方部を先端部に向かって縮径する円錐状の先部とすると共に、その先部に前記ノック部材を配置したことを特徴とする請求項１記載のシャープペンシル。
【請求項３】
前記ノック部材を先部の中間部に配置すると共に、その先部における外接円径を先部の最大外径を超えない大きさとしたことを特徴とする請求項２に記載のシャープペンシル。
【発明の詳細な説明】
【技術分野】
【０００１】
本発明は、軸筒の内部に芯の前進は許容するが、芯の後退は楔作用によって阻止するボールチャク機構を配置すると共に、そのボールチャック機構の前方に芯を軽く保持するスライド部材を前後動可能に配置したシャープペンシルに関する。
【背景技術】
【０００２】
従来から、芯固定チヤツクをボールで締め付ける構造により筆記に対しては充分な芯の保持力を有するが、芯の当該チヤツクからの引き出しには僅かな力しか必要としないシヤープペンシルに於いて、先端パイプを口金に固定すると共に該口金に螺着又は圧入等により固定した軸継手の内部に該軸継手に設けたスリ割りを貫通すると共に該スリ割りに沿つて摺動自在な片部を介して外部に触指部を露呈させた繰出体の保持チヤツクを装着した中心部を嵌入し、該繰出体の中心部を軸継手との間にスプリングを介装させて前方に押圧状態にして成る触指繰出式シヤープペンシルが知られている。
【特許文献１】実公昭６４−１１０７号。
【発明の開示】
【発明が解決しようとする課題】
【０００３】
前述の従来技術にあっては、僅かな力で芯の繰り出しが行えると言った優れた効果を有している。しかも、繰り出し体がシャープペンシルの前方部に配置されているため、筆記状態を維持しながらも芯の繰り出し操作を行うことができると言った効果も有している。
しかし、使用中の１本目の芯を使い切ってしまうと、次の芯をチャック体に導くことはできず、結局のところ、先端パイプの先端から新たな芯を挿着しなければならず、非常に面倒な作業となってしまっていた。
そこで、シャープペンシル（軸筒）の後端部にノック操作部を配置し、そのノック操作部をノックすることによってチャック体を前進せしめ、拡開させ、その拡開したチャック体に後続する２本目の芯を落とし込む機構が開発された。しかし、筆記状態を一端中止し、シャープペンシルを持ち替えて後続する２本目の芯の繰り出し操作を行わなければならず、折角の前記効果を著しく損ねてしまっていた。
【課題を解決するための手段】
【０００４】
本発明は、軸筒の内部に芯の前進は許容するが、芯の後退は楔作用によって阻止するボールチャク機構を配置すると共に、そのボールチャック機構の前方に芯を軽く保持するスライド部材を前後動可能に配置したシャープペンシルであって、前記軸筒の前方にスライド部材を作動せしめるノック部材を配置する一方、前記ボールチャック機構の後方にはそのボールチャック機構を作動せしめる傾斜板を配置し、その傾斜板を前記ノック部材によって揺動せしめたことを要旨とする。
【発明の効果】
【０００５】
本発明は、軸筒の内部に芯の前進は許容するが、芯の後退は楔作用によって阻止するボールチャク機構を配置すると共に、そのボールチャック機構の前方に芯を軽く保持するスライド部材を前後動可能に配置したシャープペンシルであって、前記軸筒の前方にスライド部材を作動せしめるノック部材を配置する一方、前記ボールチャック機構の後方にはそのボールチャック機構を作動せしめる傾斜板を配置し、その傾斜板を前記ノック部材によって揺動せしめたので、通常の芯の繰り出しは勿論、後続芯も容易に繰り出すことができる。
【発明を実施するための最良の形態】
【０００６】
作用について説明する。少ないノックストロークにおいては、通常の芯の繰り出し操作となる。大きなノックストロークでは、傾斜板下部の軸筒との接触部が支点となり、又、傾斜板中間部のチャック体との接触部が作用点となり、又、傾斜板上部とノック部材の連結部分が力点となり、チャック体が弾撥部材の弾撥力に抗して前進する。つまり、梃子の原理を利用しての後続する２本目芯の繰り出し操作となる。
【０００７】
第１例を図１〜図９に示し説明する。軸筒１の後部は、複数の芯が収納可能な芯タンク部２となっており、その芯タンク部２の前方には、複数の芯を１本ごと分離する芯受け部材３がコイルスプリングなどの弾撥部材４によって後方に付勢された状態で配置されている。その芯受け部材３には別部材として構成された押し具５を圧入・固定しているが、それら芯受け部材３と押し具５を一体形成などしても良い。その押し具５の中間部には傾斜板６が囲繞した状態で挿通しており、その傾斜板６の前部の一部（下部；図中右方向）が押し具５の中間部の一部（下部；図中右方向）に形成された突部７に当接している。この当接部分が作用点Ｚとなり、押し具５並びに、チャック体１５を前進せしめる。一方、傾斜板６の後部の一部が軸筒１の内面に形成された内面段部８に当接している。また、傾斜板６の後方への移動は、その内面段部８によって規制され、該部分が傾斜板６が揺動する支点Ｘとなる。その傾斜板６について詳述する。傾斜板６の中心部には、貫通孔９が形成されており、その貫通孔９には、前記押し具５が挿通している。また、傾斜板６の上部（図中左方向）には、突起１０が形成されており、その突起の前面には後述するノック棒の後端が当接する受け溝１１が形成されている。
【０００８】
前記押し具５の前方には、芯の前進許容するが、芯の後退は阻止するボールチャック機構１２が摺動自在に装着している。そのボールチャック機構１２について具体的に説明する。ボールチャック機構１２は、コイルスプリングなどの弾撥部材１３によって後方に付勢されているが、軸筒１に形成された内面突部１ａによって後方への移動が阻止されている。また、ボールチャック機構１２を構成する外筒１４、後部に位置する筒状部１４aとその筒状部１４ａの前部に固定されたチャックリング部１４ｂとから構成されているが、そのチャックリング部１４ｂの内面には後方に向かって縮径する円錐面１４ｃが形成されている。そして、外筒１４の内側には、芯を把持・解放するチャック体１５が前後動可能に配置されていると共に、そのチャック体１５は弾撥部材１６によって後方に付勢されている。そのチャック体１５の把持部１５ａ近傍には、前記チャックリング部１４ｂの円錐面１４ｃに位置しており、その把持部１５ａと円錐面１４ｃの間にはボール１７が介在している。即ち、弾撥部材１６や筆記圧によってチャック体１５に後退作用が働いているときには、楔作用によって芯を強固に把持しているが、チャック体１５に前進作用が働くと前記の楔作用が解除されチャック体１５の把持力が弱まると共に僅かに拡開する。尚、前記ボール１７は、チャック体１５の把持部１５a外面に形成された半球状の孔１５ｂに遊挿しており、ボールチャック機構１２からの脱落が防止されている。
【０００９】
前記軸筒１の前端には、先部材１８が螺合などの手段によって着脱自在に取り付けられているが、その軸筒１と先部材１８は中継ぎ部材１９を挟着している。その中継ぎ部材１９は、前記弾撥部材１３の前端部を受け止めるものであって、また、後述するスライド部材を前方に付勢する弾撥部材の後端部を受け止めるものとなっている。
また、先部材１８は前方に向かって縮径する円錐状をなしており、その内部にはスライド部材２０が前後動可能に配置されているが、そのスライド部材２０はコイルスプリングなどの弾撥部材２１によって前方に付勢されている。そして、そのスライド部材２０の中間部にはノック部材２２が取り付けられているが、そのノック部材２２は先部材１８の中間部の側面に形成された貫通孔２３から露出している。しかし、そのノック部材２２の露出高さは、先部材１８の最大外径部を超えない高さとなっている。ポケットなどに差し込んだ場合の、不慮のノック操作を防止しているのである。符号２４は、芯を軽く保持するゴム状弾性体からなる芯保持部材であるが、スライド部材と一体形成などしても良い。また、符号２５は、金属材質からなる芯保護管であって、この芯保護管２５も前記スライド部材と一体成型しても良い。
【００１０】
また、前記軸筒１とボールチャック機構１２との隙間には、ノック棒２６が前後動自在に配置されている。このノック棒２６は、軸筒１の内壁面に形成された摺動溝２７や中継ぎ部材１９の摺動溝２８に嵌り込んでおり振れなどが防止されている。そして、そのノック棒２６の後端は、前記傾斜板６に形成された受け溝１１に挿入し当接している。この当接した部分が力点Ｙとなっている。一方、ノック棒２６の前端部は、前記スライド部材２０の後端部に形成された鍔部２９の近傍に位置しているが、隙間Ｓを有している。即ち、ノック部材２２の押圧操作によってスライド部材２０が隙間Ｓ分後退すると、前記の押圧動作がノック棒２６に伝達され、そのノック棒２６の後退動作が前記傾斜板６の上部に伝達されるようになっている。
【００１１】
次ぎに、動作について説明する。最初に、通常の芯の繰り出し操作について説明する。図１に示す状態から、ノック部材２２を僅かに後退させるとスライド部材２０も後退するが、芯保持部材２４は芯の表面を擦りながら後退する。このとき、芯は、ボールチャック機構１２の楔作用によってその後退動作が阻止されている（図６参照）。ここで、ノック部材２２から指を離し、前記後退動作を解除するとスライド部材２０は、弾撥部材２１の付勢力によって前進する。この際、芯は芯保持部材２４によって軽く保持されているため、スライド部材２０と共に前進しようとする。このとき、チャック体１５が弾撥部材１６の付勢力に抗して前進し、前記の楔作用が解除され、芯がチャック体１５から引きずり出される。この動作を繰り返すことによって、芯が芯保護管２５から繰り出されることになる。
次に、使用中の芯を使い切ってしまい、後続する２本目の芯を繰り出す方法について説明する。前期と同様に、ノック部材２２を後退させると共に、スライド部材２０を後退させるが、このとき、隙間Ｓ以上にノック部材２２を後退させる。このノック部材２２の後退動作に伴ってスライド部材２０の鍔部２９がノック棒２６の前端面に当接し、そのノック棒２６を後退移動せしめる。この際、ノック棒２６と傾斜板６の力点Ｙによって、又、支点Ｘを中心に傾斜板６が揺動する（図７参照）。この傾斜板６の揺動に伴って、作用点Ｚにより押し具５が弾撥部材４に抗して前進すると共に、チャック体１５の後端部に当接し、そのチャック体１５にも前進作用が伝達される。このチャック体１５への前進作用によってチャック体１５が弾撥部材１６の付勢力に抗して前進し、チャック体１５が拡開する。このとき、後続する芯タンク２内の芯はチャック体１５の芯把持１５ａを通過し、スライド部材２０の芯保持部材２４まで自重によって落下する（図８参照）。ここで、再び、前記の芯繰り出し操作を行うと、芯が芯保護管２５から突出する。
【００１２】
第２例を図１０〜図１２に示し説明する。前記第１例のノック部材の変形例である。第１例のノック部材を先部材１８の一部に露出させた棒状体としたが、本題２例においては、リング状をなしている。そのリング状のノック部材３０は前例と同様にスライド部材３１に連結されているが、先部材３２の直線状の筒状部３３に挿着されている。また、リング状のノック部材３０の外径は、前例と同様に先部材３２の外径を超えない大きさとなっている。符号３４は前記リング状のノック部材３０とスライド部材３１を連結させるための係合突起であって、符号３５はノック棒２６に後退作用を伝達するための前記第１例と同様の鍔部である。ノック部材３０をリング状とすることによって、ノック部材３０の位置を特定することなく芯の繰り出し操作が行えるようになる。
尚、この第２例においては、リング状のノック部材３０を先部材３２の中間部に直線状の筒状部３３を形成することによって取り付けたが、図１３（第３例）に示しようにリング状のノック部材３６の内面に後方に向かって拡開する円錐内面部３７を形成しても良い。円錐形状の先部材１８の形状に沿って芯の繰り出し操作を行うことができる。
【図面の簡単な説明】
【００１３】
【図１】第１例を示す縦断面図。
【図２】傾斜板を示す外観図。
【図３】図１のＡ−Ａ線断面図。
【図４】図１のＢ−Ｂ線断面図。
【図５】図１のＣ−Ｃ線断面図。
【図６】動作を示す要部縦断面図。
【図７】動作を示す要部縦断面図。
【図８】動作を示す要部縦断面図。
【図９】図１の外観図。
【図１０】第２例を示す要部縦断面図。
【図１１】図１０のＤ−Ｄ線断面図。
【図１２】図１０のＥ−Ｅ線断面図。
【図１３】第３例を示す要部縦断面図。
【符号の説明】
【００１４】
１    軸筒
２    芯タンク部
３    芯受け部材
４    弾撥部材
５    押し具
６    傾斜板
７    突部
８    内面段部
９    貫通孔
１０  突起
１１  受け溝
１２  ボールチャック機構
１３  弾撥部材
１４  外筒
１５  チャック体
１６  弾撥部材
１７  ボール
１８  先部材
１９  中継ぎ部材
２０  スライド部材
２１  弾撥部材
２２  ノック部材
２３  貫通孔
２４  芯保持部材
２５  芯保護管
２６  ノック棒
２７  摺動溝
２８  摺動溝
２９  鍔部
３０  ノック部材
３１  スライド部材
３２  先部材
３３  筒状部
３４  係合突起
３５  鍔部
３６  ノック部材
３７  円錐内面部
【図１】
2006095948.tif 000003
【図２】
2006095948.tif 000004
【図３】
2006095948.tif 000005
【図４】
2006095948.tif 000006
【図５】
2006095948.tif 000007
【図６】
2006095948.tif 000008
【図７】
2006095948.tif 000009
【図８】
2006095948.tif 000010
【図９】
2006095948.tif 000011
【図１０】
2006095948.tif 000012
【図１１】
2006095948.tif 000013
【図１２】
2006095948.tif 000014
【図１３】
2006095948.tif 000015